(57)【特許請求の範囲】
【請求項１】
被覆電線の先端部における導体を露出させた部分に圧着するための断面Ｕ字状の導体圧着部と、該導体圧着部の前記被覆電線の基端側に並べて配置され、前記導体の周りに絶縁被覆の付いた前記被覆電線の部分を加締め固定するための断面Ｕ字状の被覆加締部と、前記導体圧着部および前記被覆加締部に連続して設けられた共通の底板部と、を備え、
前記導体圧着部が、前記底板部の両側縁から上方に延長し且つ、接続すべき前記被覆電線の導体を包み込むように内側に曲げられることで前記導体を前記底板部の上面に密着した状態となるように加締める一対の導体加締片を有し、
前記被覆加締部が、前記底板部の両側縁から上方に延長し且つ、接続すべき前記被覆電線の前記導体の周りに前記絶縁被覆の付いた部分を包み込むように内側に曲げられることで前記被覆電線を加締め固定する一対の被覆加締片を有する、
圧着端子の、
前記被覆電線への接続構造であって、
前記被覆加締部の一対の被覆加締片のうちの一方の被覆加締片を下側にして他方の被覆加締片が上側に重なるように、前記一対の導体加締片が前記絶縁被覆の付いた部分の外周に加締め付けられており、且つ、該被覆加締部の前記被覆電線の基端側に位置する後端部に、前記絶縁被覆の外周から逃げるように外側に斜めに広がるベルマウスが形成されていることを特徴とする圧着端子の被覆電線への接続構造。
【請求項２】
前記ベルマウスの傾斜角度が８°〜３５°の範囲に設定されていることを特徴とする請求項１に記載した圧着端子の被覆電線への接続構造。
【請求項３】
前記一対の導体加締片の間に前記被覆電線の導体が配置された状態で、前記一対の導体加締片が内側に曲げて加締められることで、前記被覆電線の導体に前記導体圧着部が圧着され、且つ、前記導体圧着部の後端部に、前記導体の表面から逃げるように外側に斜めに広がるベルマウスが形成され、そのベルマウスの傾斜角度が８°〜３５°の範囲に設定されていることを特徴とする請求項１または請求項２に記載した圧着端子の被覆電線への接続構造。
【請求項４】
前記被覆電線が、前記導体としてアルミニウム製またはアルミニウム合金製の導体を有するアルミニウム電線であることを特徴とする請求項１〜請求項３のいずれか一項に記載した圧着端子の被覆電線への接続構造。
【発明の詳細な説明】
【技術分野】
【０００１】
本発明は、Ｕ字状の被覆加締部を備えたオープンバレルタイプの圧着端子の被覆電線への接続構造に関するものである。
【背景技術】
【０００２】
自動車等の車両に配索されるワイヤハーネスには銅電線が一般に使用されている。そして、ワイヤハーネス同士、あるいはワイヤハーネスと車載機器との接続にあたり、ワイヤハーネスの銅電線には端子が取り付けられ、この種の端子は、一般に圧着によって銅電線に取り付けられている。
【０００３】
銅電線へ圧着される端子は、典型的には、銅製の複数の素線を撚り合わせてなる銅電線の導体部が載置される底板部と、底板部に載置された導体部を挟むために底板部に連設された一対の導体加締片と、を備えている。そして、一対の導体加締片は、内側に加締められることで、導体部を底板部との間に挟み込み、それにより端子が銅電線の導体部に圧着される。
【０００４】
ところで近年、銅資源の不足に加え、車両の軽量化やリサイクルの容易性を考慮して、アルミニウム電線が注目されている。しかしながら、アルミニウムは銅に比べて表面に形成される酸化皮膜が厚く、アルミニウム電線では、導体部と端子との間の接触抵抗が比較的高くなる傾向にある。
【０００５】
この接触抵抗を低減することについて、端子の各導体加締片を導体部に強く加締め、導体部の圧縮率を高くする方法が知られている。これによれば、導体部を構成する各素線の酸化皮膜が破壊され、導体部と端子との間の接触抵抗が低減される。尚、本明細書において、導体部の圧縮率とは、圧着前の導体部の断面積に対する圧着後の導体部の断面積の比として規定される。
【０００６】
しかしながら、導体部の圧縮率を高くすることに伴い、導体部に作用する応力も高くなる。そして、アルミニウムは銅に比べて機械的強度に劣り、アルミニウム電線では、導体部に過度の応力が作用すると端子の圧着強度が著しく低下してしまう。そこで、アルミニウム電線と端子との圧着において、導体部と端子との接触抵抗の低減と、端子の圧着強度の確保と、を両立させることを目的としたアルミニウム電線と端子との圧着構造が種々提案されている（例えば、特許文献１、２参照）。
【０００７】
特許文献１に開示された圧着構造では、アルミニウム電線の導体部の断面積に応じて、導体部と端子との接触抵抗の低減と、端子の圧着強度の確保と、を両立し得る導体部の圧縮率を規定している。例えば、導体部の断面積が１．５ｍｍ２未満のものについては、導体部の圧縮率は５０〜７０％とされ、導体部の断面積が１．５ｍｍ２以上のものについては、導体部の圧縮率は４０〜７０％とされている。尚、銅電線への端子の圧着における導体部の圧着率は、典型的には７５〜９５％である。
【０００８】
特許文献２に開示された圧着構造では、図４（ａ）および（ｂ）に示すように、アルミニウム電線２０１の導体部２０２に加締められる加締片（バレル）が二対設けられている。そして、圧着された状態で、導体部２０２の基端側に位置した保持用加締片２０３の加締め高さ（クリンプハイト）Ｈｂが、導体部２０２の先端側に位置した導通用加締片２０４の加締め高さＨａよりも高くなるように、段差が設けられた圧着治具を用いて両加締片２０３，２０４を導体部２０２に加締めている。これにより、保持用加締片２０３による導体部２０２の圧縮率は銅電線への端子の圧着における導体部の圧縮率と同程度として圧着強度を確保し、導通用加締片２０４による導体部２０２の圧縮率は比較的高くして接触抵抗を低減するようにしている。
【０００９】
【特許文献１】特開２００５−１７４８９６号公報
【特許文献２】特開２００５−５０７３６号公報
【発明の開示】
【発明が解決しようとする課題】
【００１０】
上記特許文献１に開示された圧着構造では、導体部の圧縮率が銅電線の場合に比べて総じて高くなっており、端子の圧着強度の低下は避けられない。即ち、アルミニウム電線の圧着部の電気抵抗を銅電線レベルに低く抑えるために、過圧着、例えば導体部の圧縮率を７０％以下にした場合、導体部が圧迫され、軸方向に引張荷重を受けた場合に破断しやすくなり、その結果、圧着部の強度が低下するという問題がある。
【００１１】
これに対して、上記特許文献２に開示された圧着構造では、保持用加締片２０３が加締められた部位と、導通用加締片２０４が加締められた部位とで、加締め高さＨｂ、Ｈａの違いにより、導体部２０２に対する圧縮率を変えることができ、保持用加締片２０３が加締められた部位の導体部２０２の圧縮率を銅電線の場合と同程度として、端子の圧着強度の低下を回避することができる。しかしながら、上記特許文献２に開示された圧着構造では、導通用加締片２０４と保持用加締片２０３との加締め高さを異ならせるように両加締片２０４、２０３を導体部２０２に加締めるために、専用の圧着治具が必要となり、また、導通用加締片２０４および保持用加締片２０３の２箇所の高さＨａ、Ｈｂを管理する必要があり、コストがかかる。また、保持用加締片２０３による導体部２０２の圧縮率を銅電線への端子の圧着における導体部の圧縮率と同程度に低く設定して、圧着強度を確保しているが、圧縮率が低くなる分だけ、電気性能（低く安定した電気抵抗）を犠牲にせざるを得ない。
【００１２】
本発明は、上述した事情に鑑みてなされたものであり、その目的は、例えばアルミニウム電線に適用した場合にも、該アルミニウム電線に対するダメージを減らしながら、機械的な接続性能（高い引張強度）と電気的な接続性能（低い電気抵抗）の両立を図ることのできる圧着端子の被覆電線への接続構造を提供することにある。
【課題を解決するための手段】
【００１３】
前述した目的を達成するために、本発明に係る圧着端子の被覆電線への接続構造は、下記（１）〜（４）を特徴としている。
（１）  被覆電線の先端部における導体を露出させた部分に圧着するための断面Ｕ字状の導体圧着部と、該導体圧着部の前記被覆電線の基端側に並べて配置され、前記導体の周りに絶縁被覆の付いた前記被覆電線の部分を加締め固定するための断面Ｕ字状の被覆加締部と、前記導体圧着部および前記被覆加締部に連続して設けられた共通の底板部と、を備え、
前記導体圧着部が、前記底板部の両側縁から上方に延長し且つ、接続すべき前記被覆電線の導体を包み込むように内側に曲げられることで前記導体を前記底板部の上面に密着した状態となるように加締める一対の導体加締片を有し、
前記被覆加締部が、前記底板部の両側縁から上方に延長し且つ、接続すべき前記被覆電線の前記導体の周りに前記絶縁被覆の付いた部分を包み込むように内側に曲げられることで前記被覆電線を加締め固定する一対の被覆加締片を有する、
圧着端子の、
被覆電線への接続構造であって、
前記被覆加締部の一対の被覆加締片のうちの一方の被覆加締片を下側にして他方の被覆加締片が上側に重なるように、前記一対の導体加締片が前記絶縁被覆の付いた部分の外周に加締め付けられており、且つ、該被覆加締部の前記被覆電線の基端側に位置する後端部に、前記絶縁被覆の外周から逃げるように外側に斜めに広がるベルマウスが形成されていること。
（２）  上記（１）の構成の接続構造において、
前記ベルマウスの傾斜角度が８°〜３５°の範囲に設定されていること。
（３）  上記（１）または（２）の構成の接続構造において、
前記一対の導体加締片の間に前記被覆電線の導体が配置された状態で、前記一対の導体加締片が内側に曲げて加締められることで、前記被覆電線の導体に前記導体圧着部が圧着され、且つ、前記導体圧着部の後端部に、前記導体の表面から逃げるように外側に斜めに広がるベルマウスが形成され、そのベルマウスの傾斜角度が８°〜３５°の範囲に設定されていること。
（４）  上記（１）〜（３）のいずれかの構成の接続構造において、
前記被覆電線が、前記導体としてアルミニウム製またはアルミニウム合金製の導体を有するアルミニウム電線であること。
【００１４】
上記（１）の構成の接続構造によれば、絶縁被覆の付いた部分の外周に被覆加締部の一対の被覆加締片を加締める際に、一方の被覆加締片を下側にして他方の被覆加締片が上側に重なるように加締めて、加締め後の被覆加締部の後端部にベルマウスを形成しているので、被覆加締片の二重加締めによる効果とベルマウスによるリブ効果により、被覆加締部の剛性を増大させることができ、被覆電線に対する締め付け力を増大させることができる。従ってその分だけ、圧着端子の被覆電線に対する接続強度の増大を図ることができ、結果的に導体圧着部を二段に加締める必要がなくなり、導体圧着部の電気性能を犠牲にせずにすむ。また、被覆加締部の後端部にベルマウスがあることにより、被覆加締片のエッジによって絶縁被覆に過度の負荷を与えずにすむようになり、絶縁被覆の傷つきを防止することができる。
上記（２）の構成の接続構造によれば、被覆加締部の後端部のベルマウスの傾斜角度が８°〜３５°の範囲に設定されているので、絶縁被覆の傷つきを有効に回避しながら、ベルマウスの内面と絶縁被覆の表面との接触面圧を維持することができ、それだけ被覆加締部の締付強度を高くすることができる。因みに、ベルマウスの傾斜角度が８°未満になると、被覆加締片のエッジと絶縁被覆が接触しやすくなり、絶縁被覆に傷つきが発生しやすくなる。また、ベルマウスの傾斜角度が３５°を超えると、ベルマウスの内面と被覆電線の表面との間に隙間が生じやすくなり、接触面圧による締め付け効果が小さくなる。
上記（３）の構成の接続構造によれば、導体圧着部の後端部に形成されているベルマウスの傾斜角度が８°〜３５°の範囲に設定されているので、電線破断部位の導体の肉厚を大きく維持することができ、それだけ導体の破断強度を高めることができる。また、ベルマウスの内面と導体の表面との接触面圧を維持することができ、それだけ導体圧着部の締付強度を高く維持することができる。その結果、圧着端子の被覆電線に対する接続強度の向上が図れる。因みに、ベルマウスの傾斜角度が８°未満になると、ベルマウスのエッジと導体の表面が過度に接触することになり、導体に傷つきが発生しやすくなる。また、ベルマウスの傾斜角度が３５°を超えると、ベルマウスの内面と導体の表面との間に隙間が生じやすくなり、接触面圧による締め付け効果が小さくなる。
上記（４）の構成の接続構造によれば、アルミニウム製またはアルミニウム合金製の導体を有するアルミニウム電線に対して適用したので、銅製の導体に比べて引張強度や延性に劣るアルミニウム製またはアルミニウム合金製の導体に対して過度の負担をかけることなく、圧着作業を実施することができる。
【発明の効果】
【００１５】
本発明によれば、アルミニウム電線に適用した場合にも、電線に対するダメージを減らしながら、機械的な接続性能と電気的な接続性能の両立を図ることができ、信頼性の高い端子接続構造とすることができる。
【００１６】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１７】
以下、本発明に係る好適な実施形態を図面に基づいて詳細に説明する。
【００１８】
図１（ａ）〜（ｄ）は実施形態の圧着端子のアルミニウム電線（以下、“被覆電線”とも記述する。）に対する接続構造を説明するための図であって、図１（ａ）は圧着端子に被覆電線を接続した状態を示す外観側面図、図１（ｂ）は図１（ａ）のＩｂ部の拡大斜視図、図１（ｃ）は図１（ｂ）のＩｃ−Ｉｃ矢視断面図、図１（ｄ）は図１（ｂ）のＩｄ−Ｉｄ矢視断面図である。また、図２（ａ）および（ｂ）は図１（ａ）のＩＩ矢視で示すベルマウス部分の断面図であって、図２（ａ）はベルマウスの傾斜角度が大き過ぎる場合を示す図、そして図２（ｂ）はベルマウスの傾斜角度が適正な範囲にある場合を示す図である。また、図３（ａ）は導体圧着部のベルマウスの傾斜角度と保持強度（引張強度）との関係を示す特性図、そして図３（ｂ）は導体圧着部と被覆加締部を足した保持強度（引張強度）と被覆加締部のベルマウスの傾斜角度との関係を示す特性図である。
【００１９】
ここで使用する圧着端子１は、導電性金属製（主に銅や銅合金）の板体をプレス成形することにより形成されたものであって、被覆電線Ｗの延びる方向、即ち、圧着端子１の長手方向（以下、この方向を「前後方向」、これと直交する方向を「左右方向」と記述する。）の前端側に相手方端子と接触して電気的に接続するための電気接続部２を備え、後端側に被覆電線Ｗの先端部に固定される電線固定部３を備えている。電線固定部３は、被覆電線Ｗの先端部の露出導体Ｗａ（即ち、撚線等の形態の複数の素線の束からなる導体Ｗａと、該導体の外周を被覆するように形成された絶縁被覆Ｗｂと、を備えた被覆電線Ｗの先端部において、絶縁被覆Ｗｂから露出された導体Ｗａの部分のことである。）に加締められる前側の導体圧着部４と、被覆電線の絶縁被覆Ｗｂを有する部分に加締められる後側の被覆加締部５とを備えており、これら電気接続部２と導体圧着部４と被覆加締部５は、共通の底板部１１を含むものとして構成されている。
【００２０】
導体圧着部４は、電気接続部２から連続する底板部１１の左右方向両側縁に、一対の導体加締片１４を上方に延長するように起立形成した断面Ｕ字状の部分である。また、被覆加締部５は、底板部１１の左右方向両側縁に、一対の被覆加締片１５を上方に延長するように起立形成した断面Ｕ字状の部分である。被覆加締部５と導体圧着部４は、圧着端子１の前後方向に適当な間隔をおいて並設（より簡潔に述べると、隣接して配置）されている。ここで、一対の被覆加締片１５の高さや幅は、後述するように絶縁被覆Ｗａの外周に互いに重なるように加締めるのに十分な寸法に設定されている。
【００２１】
この圧着端子１を被覆電線Ｗに接続するには、上型と下型を用いて、一対の導体加締片１４を内側にカールを描くように曲げることにより、導体圧着部４を被覆電線Ｗの先端部の露出導体Ｗａに圧着すると共に、一対の被覆加締片１５を内側にカールを描くように曲げることにより、被覆加締部５を被覆電線Ｗの絶縁被覆Ｗｂを有する部分に加締める。
【００２２】
この際、重要なことは、被覆加締部５の一対の被覆加締片１５のうちの一方の被覆加締片１５を下側にして他方の被覆加締片１５が上側に重なるように、一対の導体加締片１５を絶縁被覆Ｗａの付いた部分の外周に加締める。しかも、被覆加締部５の被覆電線Ｗの基端側に位置する後端部に、絶縁被覆Ｗｂの外周から逃げるように外側に斜めに広がるベルマウス１５ａを形成するように加締める。また、そのベルマウス１５ａの傾斜角度（即ち、逃げ角度）θを、８°〜３５°の範囲に設定することである。
【００２３】
また、導体圧着部４の導体加締片１４の加締めに際しては、導体圧着部４の少なくとも後端部に、導体Ｗａの表面から逃げるように外側に斜めに広がるベルマウス１４ａが形成されように加締めを行ない、特にそのベルマウス１４ａの傾斜角度が８°〜３５°の範囲となるように加締めることである。このように加締めを行なうことにより、図１（ｂ）〜（ｄ）に示すように、後端部に所定角度θ（＝８°〜３５°）のベルマウス１５ａを有する被覆加締部５が得られると共に、図２（ｂ）に示すように、後端部に所定角度α（＝８°〜３５°）のベルマウス１４ａを有する導体加締部４が得られる。
【００２４】
これらのベルマウス１４ａ、１５ａは、加締部の隣に非加締部を確保して加締めを実行することにより、自然に形成することができる。即ち、実際に加締部の内側の電線部分には大きな圧縮力が作用するが、非加締部の内側の電線部分にはほとんど圧縮力がかからない。また、導体加締片１４や被覆加締片１５に加わる圧縮力も、加締部と非加締部で同様の違いがある。そのため、電線側や導体加締片１４及び被覆加締片１５の圧縮変形に応じた傾斜角度（即ち、逃げ角度）α、θのベルマウス１４ａ、１５ａが、導体圧着部４や被覆加締部５の端部にできる。
【００２５】
以上のように、本実施形態の接続構造では、絶縁被覆Ｗｂの付いた部分の外周に被覆加締部５の一対の被覆加締片１５を加締める際に、一方の被覆加締片１５を下側にして他方の被覆加締片１５が上側に重なるように加締めて、加締め後の被覆加締部５の後端部にベルマウス１５ａを形成しているので、被覆加締片１５の二重加締めによる効果とベルマウス１５ａによるリブ効果により、被覆加締部５の剛性を増大させることができ、被覆電線Ｗに対する締め付け力を増大させることができる。従って、その分だけ、圧着端子１の被覆電線Ｗに対する接続強度の増大を図ることができる。
【００２６】
その結果、導体圧着部４と被覆加締部５の合計で負担していた接続強度のうち、被覆加締部５で負担する接続強度の割合を大きくとることができるようになり、その分、導体圧着部４での圧着を、機械的な強度よりも電気的な性能の向上を重視しながら圧縮率を高めに設定して行なうことができるようになり、従来のように導体圧着部５を二段に加締める必要がなくなって、導体圧着部５の電気性能を犠牲にせずにすむ。
【００２７】
また、被覆加締部５の後端部にベルマウス１５ａがあることにより、被覆加締片１５のエッジによって絶縁被覆Ｗｂに過度の負荷を与えずにすむようになり、絶縁被覆Ｗｂの傷つきを防止することができる。
【００２８】
また、被覆加締部５の後端部のベルマウス１５ａの傾斜角度が８°〜３５°の範囲に設定されているので、絶縁被覆Ｗｂの傷つきを有効に回避しながら、ベルマウス１５１の内面と絶縁被覆Ｗｂの表面との接触面圧を維持することができ、それだけ被覆加締部５の締付強度を高くすることができる。
【００２９】
因みに、ベルマウス１５ａの傾斜角度が８°未満になると、被覆加締片１５のエッジと絶縁被覆Ｗｂが接触しやすくなり、絶縁被覆Ｗｂに傷つきが発生しやすくなる。また、ベルマウス１５ａの傾斜角度が３５°を超えると、ベルマウス１５ａの内面と被覆電線Ｗｂの表面との間に隙間が生じやすくなり、接触面圧による締め付け効果が小さくなる。
【００３０】
また、本実施形態の接続構造によれば、導体圧着部４の後端部にベルマウス１４ａが形成されており、そのベルマウス１４ａの傾斜角度αが、図２（ｂ）に示すように、８°〜３５°の範囲に設定されているので、電線破断部位の導体Ｗａの肉厚Ｈ（導体の断面高さ）を大きく維持することができ、それだけ導体Ｗａの破断強度を高めることができる。また、ベルマウス１４ａの内面と導体Ｗａの表面との接触面圧Ｆを維持することができ、それだけ導体圧着部４の締付強度を高く維持することができる。その結果、圧着端子１の被覆電線Ｗに対する接続強度の向上が図れる。
【００３１】
因みに、ベルマウス１４ａの傾斜角度αが８°未満になると、ベルマウス１４ａのエッジ１４ｅと導体Ｗａの表面が過度に接触することになり、導体Ｗａに傷つきが発生しやすくなる。また、図２（ａ）に示すようにベルマウス１４ａの傾斜角度αが３５°を超えると、ベルマウス１４ａの内面と導体Ｗａの表面との間に隙間が生じやすくなり、接触面圧による締め付け効果が小さくなる。
【００３２】
このことは、図３（ａ）に示す特性図から明らかである。即ち、導体圧着部４のベルマウス１４ａの傾斜角度αが８°〜３５°の範囲にある場合は、導体圧着部４の電線に対する保持強度は高く維持されるが、それを外れると、特に３５°を超えると、保持強度は極端に低下する傾向を示す。従って、ベルマウス１４ａの傾斜角度αを８°〜３５°の範囲に設定することで、保持強度を高めることができることが分かる。
【００３３】
また、図３（ｂ）に示すように、被覆加締部５のベルマウス１５ａの傾斜角度θについて見てみると、傾斜角度θが３５°を超えると、導体圧着部４と被覆加締部５を足した保持強度が徐々に低下する傾向を示すことが分かる。
【００３４】
以上のことから、本実施形態の接続構造によれば、被覆電線Ｗに対するダメージを減らしながら、機械的な接続性能（高い引張強度）と電気的な接続性能（低い電気抵抗）の両立を図ることができる。特に、本実施形態は、アルミニウム電線Ｗに対して適用したので、銅製の導体に比べて引張強度に劣るアルミニウム製またはアルミニウム合金製の導体に対して過度の負担をかけることなく、圧着作業を実施することができる。また、被覆電線Ｗの絶縁被覆Ｗｂがハロゲン元素を含む樹脂である場合にも、絶縁被覆Ｗｂの切れを有効に防ぐことができる。尚、アルミニウム合金の具体例としては、アルミニウムと鉄との合金を挙げることができる。当該アルミニウム合金を採用した場合、アルミニウム製の導体に比べて、延び易く、強度（特に引っ張り強度）を増すことができる。
【００３５】
また、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００３６】
【図１】図１（ａ）〜（ｄ）は実施形態の圧着端子の被覆電線に対する接続構造を説明するための図であって、図１（ａ）は圧着端子に被覆電線を接続した状態を示す外観側面図、図１（ｂ）は図１（ａ）のＩｂ部の拡大斜視図、図１（ｃ）は図１（ｂ）のＩｃ−Ｉｃ矢視断面図、そして図１（ｄ）は図１（ｂ）のＩｄ−Ｉｄ矢視断面図である。
【図２】図２（ａ）および（ｂ）は図１（ａ）のＩＩ矢視で示すベルマウス部分の断面図であって、図２（ａ）はベルマウスの傾斜角度が大き過ぎる場合を示す図、そして図２（ｂ）はベルマウスの傾斜角度が適正な範囲にある場合を示す図である。
【図３】図３（ａ）および（ｂ）は実施形態の接続構造における特性図であって、図３（ａ）は導体圧着部のベルマウスの角度と保持力の関係を示す特性図、そして図３（ｂ）は被覆加締部のベルマウスの角度と保持力の関係を示す特性図である。
【図４】図４（ａ）は従来のアルミニウム電線と端子との圧着構造を示す平面図、そして図４（ｂ）は圧着構造の側面図である。
【符号の説明】
【００３７】
１：圧着端子
４：導体圧着部
５：被覆加締部
１１：底板部
１４：導体加締片
１４ａ：ベルマウス
１５：被覆加締片
１５ａ：ベルマウス
Ｗ：被覆電線
Ｗａ：導体
Ｗｂ：絶縁被覆
【図１】
0005041537.tif 000002
【図２】
0005041537.tif 000003
【図３】
0005041537.tif 000004
【図４】
0005041537.tif 000005